(57)【特許請求の範囲】
【請求項１】
リール本体に対して回転自在に支持され、スプール軸に装着される両軸受リールのスプールであって、
内部に空間を有する糸巻胴部と、
内周が前記スプール軸に装着され、外周が前記糸巻胴部に前記空間を形成し得るように連結される軸取付部と、
前記糸巻胴部の両端に設けられたフランジ部とを備え、
前記糸巻胴部外周から前記軸取付部内部に到達する肉盗み部が形成されており、
前記肉盗み部は、前記軸取付部において前記スプール軸の軸方向に貫通するように、前記糸巻胴部の前記肉盗み部の前記軸方向長さは前記軸取付部の前記肉盗み部を有する部分の前記軸方向長さより長い、
両軸受リールのスプール。
【請求項２】
前記肉盗み部は前記糸巻胴部の周方向に所定の間隔をあけて複数箇所に設けられている、請求項１に記載の両軸受リールのスプール。
【請求項３】
前記肉盗み部の形状は円形である、請求項１又は２に記載の両軸受リールのスプール。
【請求項４】
前記肉盗み部の底部は半径方向外方に行くほど径が大きくなるテーパ状に形成されている、請求項３に記載の両軸受リールのスプール。
【請求項５】
前記肉盗み部の形状は非円形である、請求項１又は２に記載の両軸受リールのスプール。
【請求項６】
前記糸巻胴部の最小外径は前記フランジ部の最大外径の４０％以上８０％以下の範囲である、請求項１から５のいずれかに記載の両軸受リールのスプール。
【請求項７】
前記フランジ部の最大外径は３０ｍｍ以上６０ｍｍ以下の範囲である、請求項１から６のいずれかに記載の両軸受リールのスプール。
【発明の詳細な説明】
【０００１】
【発明の属する技術分野】
本発明は、スプール、特に、リール本体に対して回転自在に支持され、スプール軸に装着される両軸受リールのスプールに関する。
【０００２】
【従来の技術】
一般に両軸受リールは、ハンドルを有するリール本体と、リール本体に回転自在に装着されたスプールとを備えている。スプールは、外周に釣り糸が巻き付けられる糸巻胴部と、糸巻胴部の両端に設けられたフランジ部と、糸巻胴部の内周側に設けられた軸取付部とを有している。糸巻胴部は筒状であり、フランジ部は糸巻胴部の外径よりも大径である。軸取付部は、たとえば糸巻胴部と一体成形されており、内周側はスプール軸に装着されている。
【０００３】
このようなスプールでは、キャスティング力を向上させるために、スプールを軽量化し、慣性を低減させることが望まれている。そこで、スプールの軽量化を図るために、たとえば筒状の糸巻胴部を貫通する貫通孔が形成されたものが知られている。
【０００４】
【発明が解決しようとする課題】
従来の貫通孔を有するスプールでは、筒状の糸巻胴部に貫通孔が設けられている。しかし、比較的厚みが薄い筒状の糸巻胴部に貫通孔を形成しても、糸巻胴部が軽量化される部分はほんの僅かな部分にすぎない。したがって、全体としてスプールの軽量化を図りにくい。
【０００５】
本発明の課題は、両軸受リールのスプールにおいて、スプールの軽量化を効果的に図ることにある。
【０００６】
【課題を解決するための手段】
発明１に係る両軸受リールのスプールは、リール本体に対して回転自在に支持され、スプール軸に装着される両軸受リールのスプールであって、内部に空間を有する糸巻胴部と、内周がスプール軸に装着され外周が糸巻胴部に空間を形成し得るように連結される軸取付部と、糸巻胴部の両端に設けられたフランジ部とを備えている。また、糸巻胴部外周から軸取付部内部に到達する肉盗み部が形成されている。そして、肉盗み部は、軸取付部においてスプール軸の軸方向に貫通するように、糸巻胴部の肉盗み部の軸方向長さは軸取付部の肉盗み部を有する部分の軸方向長さより長い。
【０００７】
このようなスプールでは、スプールの質量の大半部分を占める軸取付部に肉盗み部が形成されているので、スプールの軽量化を効果的に図ることができる。また、肉盗み部は軸取付部をスプール軸の軸方向に貫通しているので、肉盗み部の形成が容易になるとともに、軸取付部がさらに軽量化され、スプールの軽量化をさらに図ることができる。
【０００８】
発明２に係るスプールは、発明１のスプールにおいて、肉盗み部は糸巻胴部の周方向に所定の間隔をあけて複数箇所に設けられている。
【０００９】
この場合は、複数の肉盗み部が周方向に形成されているので、多数の肉盗み部を配置することができる。したがって、軸取付部がより軽量化されるので、スプールをより軽量化することができる。
【００１０】
発明３に係るスプールは、発明１又は２のスプールにおいて、肉盗み部の形状は円形である。
【００１１】
この場合は、たとえば切削ドリル等を用いて、円形の肉盗み部を容易に形成することができる。
【００１２】
発明４に係るスプールは、発明３のスプールにおいて、肉盗み部の底部は半径方向外方に行くほど径が大きくなるテーパ状に形成されている。
【００１３】
発明５に係るスプールは、発明１又は２のスプールにおいて、肉盗み部の形状は非円形である。
【００１４】
この場合は、たとえば肉盗み部をスプール軸に対してずらして形成することにより、肉盗み部の形状を非円形にすることができる。
【００１５】
発明６に係るスプールは、発明１から５のいずれかのスプールにおいて、糸巻胴部の最小外径はフランジ部の最大外径の４０％以上８０％以下の範囲である
この場合は、糸巻胴部が浅溝化されているので、肉盗みによる慣性低減の効果が顕著になる。また、細い釣り糸をスプールに巻き付けた場合でも、巻き癖が生じにくい。なお、このような浅溝スプールの場合、糸巻胴部の外径が大きいので、軽量化を図るために内部に空間を設けることが望ましい。
【００１６】
発明７に係るスプールは、発明１から６のいずれかのスプールにおいて、フランジ部の最大外径は３０ｍｍ以上６０ｍｍ以下の範囲である。
【００１７】
この場合は、サミング等、キャスティングに用いやすい寸法である。
【００１８】
【発明の実施の形態】
本発明の一実施形態を採用した両軸受リールは、図１及び図２に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００１９】
リール本体１は、フレーム５と、フレーム５の両側方に装着された側カバー６と、フレーム５の前方を覆う前カバー７とを有している。
【００２０】
スプール４は、図３から図５に示すように、両側部に皿状のフランジ部４ａと、両フランジ部４ａの間に形成された筒状の糸巻胴部４ｂと、糸巻胴部４ｂの内周側において空間を有するように中央部に一体成形された軸取付部４ｃとを有している。スプール４は、軸取付部４ｃを貫通するスプール軸１０に回転不能に固定されている。なお、スプール軸１０は、側カバー６に設けられた軸受により回転自在に支持されている。また、糸巻胴部４ｂの外径はフランジ部４ａの外径の４０％以上８０％以下の範囲であり、いわゆる浅溝スプールを構成している。フランジ部４ａの外径は３０ｍｍ以上６０ｍｍ以下の範囲である。
【００２１】
糸巻胴部４ｂには、図１から図４に示すように、内外周を貫通する円形の貫通孔４０が軸方向に間隔を隔てて２列、周方向に８箇所ずつ、切削加工により形成されている。２列の貫通孔４０の間には、さらに１列、周方向に８箇所、貫通孔４０と同径の肉盗み部５０が、軸取付部４ｃに到達するように切削加工により形成されている。貫通孔４０と肉盗み部５０とは、それぞれ周方向に位相がずれるように配置されている。
【００２２】
肉盗み部５０は、糸巻胴部４ｂ外周から軸取付部４ｃに向かって切削ドリル等を用いて形成されているので、肉盗み部５０の底部分は尖った形状となっている。また、糸巻胴部４ｂの肉盗み部５０の軸方向長さは、軸取付部４ｃの肉盗み部５０を有する部分の軸方向長さより長くなるように形成されており、図４に示すように、肉盗み部５０は軸取付部４ｃの一部を軸方向に貫通している。
【００２３】
このようなスプール４では、スプール４の質量の大半を占める軸取付部４ｃに肉盗み部５０が形成されている。したがって、軸取付部４ｃが軽量化されることにより、スプール４を効果的に軽量化することができる。
【００２４】
〔他の実施形態〕
（ａ）  前記実施形態では、ベイトキャスト用のロープロフィール型の両軸受リールの浅溝スプールを用いていたが、これに限定されるものではなく、他のあらゆるタイプの両軸受リールのスプールについて本発明を適用できる。
【００２５】
（ｂ）  前記実施形態では、肉盗み部５０は底部分を有する凹状に形成されていたが、図５に示すように、肉盗み部５０は軸取付部４ｃを貫通する貫通孔にしてもよい。
【００２６】
（ｃ）  前記実施形態では、肉盗み部５０は円形であったが、図６に示すように、肉盗み部５０を楕円形や多角形等の任意の形状にしてもよい。また、肉盗み部５０を軸方向に複数列形成したり、肉盗み部５０を貫通孔４０と異なる形状にしてもよい。肉盗み部５０の位置や個数、大きさ等も任意に設定できる。
【００２７】
（ｄ）図１０に示すように、肉盗み部５０をスプール軸１０に対してずらして形成してもよい。
【００２８】
（ｅ）  前記実施形態では、肉盗み部５０の底部分は尖った形状になっていたが、底部分に平面部を形成したり、あるいは底部分を丸くしてもよい。
【００２９】
【発明の効果】
本発明によれば、両軸受リールのスプールにおいて、軸取付部に凹部が形成されているので、スプールの軽量化を効果的に図ることができる。
【図面の簡単な説明】
【図１】  本発明の一実施形態を採用した両軸受リールの平面図。
【図２】  前記両軸受リールの側面図。
【図３】  前記両軸受リールのスプールの断面図。
【図４】  前記スプールの側面図。
【図５】  他の実施形態の図３に相当する図。
【図６】  さらに他の実施形態の図１に相当する図。
【図７】  さらに他の実施形態の図４に相当する図。
【符号の説明】
４  スプール
４ａ  フランジ部
４ｂ  糸巻胴部
４ｃ  軸取付部
５０  肉盗み部
【図１】
0004365962.tif 000002
【図２】
0004365962.tif 000003
【図３】
0004365962.tif 000004
【図４】
0004365962.tif 000005
【図５】
0004365962.tif 000006
【図６】
0004365962.tif 000007
【図７】
0004365962.tif 000008